(57)【要約】【課題】同じキーに割り当てられた文字を連続して入力する場合の小型情報処理装置の操作性を向上させる。【解決手段】小型情報処理装置１００は、文字信号に従って文字を表示する表示部１４０と、連続して押下された回数に従って前記文字信号を生成する複数の入力キー１３１と、前記複数の入力キー１３１のうち押下された入力キーを示すラストキー情報を記憶するラストキーメモリ１２２と、カーソルを移動させるカーソル信号を生成し、前記ラストキーメモリ１２２に記憶されたラストキー情報によって示される入力キーと同じ文字信号を生成する連続入力キー１３２と、前記入力キー１３１によって生成された文字信号並びに前記連続入力キー１３２によって生成された文字信号及びカーソル信号を前記表示部１４０に転送する制御部１１０と、を備える。【選択図】図２
2009009383.tif 000002
【特許請求の範囲】
【請求項１】
文字信号に従って文字を表示する表示部と、
連続して押下された回数に従って前記文字信号を生成する複数の入力キーと、
前記複数の入力キーのうち押下された入力キーを示すラストキー情報を記憶するラストキーメモリと、
カーソルを移動させるカーソル信号を生成し、前記ラストキーメモリに記憶されたラストキー情報によって示される入力キーと同じ文字信号を生成する連続入力キーと、
前記入力キーによって生成された文字信号並びに前記連続入力キーによって生成された文字信号及びカーソル信号を前記表示部に転送する制御部と、を備えることを特徴とする小型情報処理装置。
【請求項２】
前記連続入力キーは、前記小型情報処理装置の前面に１つ設けられる請求項１に記載の小型情報処理装置。
【請求項３】
前記連続入力キーは、前記複数の入力キー毎に対応する複数の連続入力キーを含む請求項１に記載の小型情報処理装置。
【請求項４】
前記入力キー及び前記連続入力キーによって生成された文字信号によって示される文字を変換する変換信号を生成する変換キーをさらに備え、
前記制御部は、前記変換キーによって生成された変換信号を前記表示部に転送し、前記ラストキーメモリに記憶されたラストキー情報を消去し、
前記表示部は、前記変換信号に従って変換された文字を表示する請求項１乃至３の何れか１項に記載の小型情報処理装置。
【請求項５】
前記表示部は、前記複数の入力キー及び前記連続入力キーを表示する請求項１乃至４の何れか１項に記載の小型情報処理装置。
【発明の詳細な説明】
【技術分野】
【０００１】
本発明は、小型情報処理装置に関し、特に、携帯電話、テレビジョンシステムのリモートコントローラ及び携帯型ゲーム機として用いられる小型情報処理装置に関する。
【背景技術】
【０００２】
携帯電話、テレビジョンシステムのリモートコントローラ及び携帯型ゲーム機などの様々な小型情報処理装置は、文字を入力するための簡易型文字入力ユニットを備えている。
【０００３】
簡易型文字入力ユニットは、０〜９までの数字キーを有し、各数字キーに複数の文字が割り当てられ、各数字キーが押下された回数に応じて所定の文字信号を生成するものである。簡易型文字入力ユニットは、少ない入力キーによって多くの文字信号が生成されるので、情報処理装置の小型化に適している。
【０００４】
しかし、簡易型文字入力ユニットでは、ユーザは、同じ数字キーに割り当てられた文字を連続して入力する場合にカーソルキーを押下する必要がある。従って、従来の簡易型文字入力ユニットでは、カーソルキーを押下するための手間が発生し、操作ミスの原因になり、操作性を低下させるという問題がある。
【０００５】
例えば、「青い海（アオイウミ）」という文字列を入力する場合には、ユーザは、ア行が割り当てられた１キーを１回押下し、カーソルキーを１回押下し、１キーを５回押下し、カーソルキーを１回押下し、１キーを２回押下し、カーソルキーを１回押下し、１キーを３回押下し、７キーを２回押下し、変換キーを１回押下する必要がある。すなわち、キーが押下される回数は、１７回である。
【０００６】
なお、「良い音（イイオト）」又は「愛し合う（アイシアウ）」などの他の日本語の文字列を入力する場合だけでなく、「ＤＥＦＩＮＥ」などのアルファベットの文字列を入力する場合も同様である。
【０００７】
これに対して、携帯電話機の操作性を向上させる技術として、特許文献１の技術が知られている。
【０００８】
特許文献１の技術は、携帯電話機の背面にカーソルキーを配置し、ユーザの人差し指でカーソルを移動させることができ、携帯電話機の操作性を向上させるものである。
【０００９】
しかし、特許文献１の技術では、同じ数字キーに割り当てられた文字を連続して入力する場合の携帯電話機の操作性を向上させることはできない。
【特許文献１】特開２００５−０３３５９５号公報
【発明の開示】
【発明が解決しようとする課題】
【００１０】
本発明の目的は、同じキーに割り当てられた文字を連続して入力する場合の小型情報処理装置の操作性を向上させることである。
【課題を解決するための手段】
【００１１】
本発明の第１態様によれば、文字信号に従って文字を表示する表示部と、連続して押下された回数に従って前記文字信号を生成する複数の入力キーと、前記複数の入力キーのうち押下された入力キーを示すラストキー情報を記憶するラストキーメモリと、カーソルを移動させるカーソル信号を生成し、前記ラストキーメモリに記憶されたラストキー情報によって示される入力キーと同じ文字信号を生成する連続入力キーと、前記入力キーによって生成された文字信号並びに前記連続入力キーによって生成された文字信号及びカーソル信号を前記表示部に転送する制御部と、を備えることを特徴とする小型情報処理装置が提供される。
【発明の効果】
【００１２】
本発明によれば、同じキーに割り当てられた文字を連続して入力する場合の小型情報処理装置の操作性を向上させることができる。
【発明を実施するための最良の形態】
【００１３】
以下、本発明の実施例について図面を参照して説明する。なお、以下の実施例は、本発明の実施の一形態であって、本発明の範囲を限定するものではない。
【実施例１】
【００１４】
はじめに、本発明の実施例１について説明する。
【００１５】
図１は、本発明の実施例１に係る小型情報処理装置１００の構成を示すブロック図である。
【００１６】
本発明の実施例１に係る小型情報処理装置１００は、制御部１１０、記憶部１２０、入力部１３０及び表示部１４０を備えている。
【００１７】
制御部１１０は、記憶部１２０のプログラムメモリ１２１に記憶された制御プログラムに従って動作する。制御部１１０は、入力部１３０によって生成された信号を表示部１４０に転送する。例えば、制御部１１０は、中央処理演算装置である。
【００１８】
記憶部１２０は、プログラムメモリ１２１及びラストキーメモリ１２２を備えている。
【００１９】
プログラムメモリ１２１は、制御部１１０のための制御プログラムを記憶する。
【００２０】
ラストキーメモリ１２２は、後述するラストキー情報を記憶する。
【００２１】
入力部１３０は、複数の入力キー及び十字キーを備えている。入力部１３０は、小型情報処理装置１００の前面に設けられている。
【００２２】
表示部１４０は、入力部１３０によって生成された信号に従って文字及びカーソルを表示する。例えば、表示部１４０は、液晶ディスプレイである。
【００２３】
制御部１１０、記憶部１２０、入力部１３０及び表示部１４０は、互いにバスを介して接続されている。
【００２４】
図２は、本発明の実施例１に係る小型情報処理装置１００の前面の概略を示す概略図である。
【００２５】
本発明の実施例１の小型情報処理装置１００は、向かって上側に表示部１４０が設けられ、向かって下側に入力部１３０が設けられている。
【００２６】
入力部１３０は、入力キー１３１Ａ〜Ｌ、連続入力キー１３２及び十字キー１３３から構成される。
【００２７】
入力キー１３１Ａ〜Ｌは、それぞれ、「１」又は「ア行」の文字信号を生成する１入力キー１３１Ａ、「２」、「カ行」又は「Ａ〜Ｃ」の文字信号を生成する２入力キー１３１Ｂ、「３」、「サ行」又は「Ｄ〜Ｆ」の文字信号を生成する３入力キー１３１Ｃ、「４」、「タ行」又は「Ｇ〜Ｉ」の文字信号を生成する４入力キー１３１Ｄ、「５」、「ナ行」又は「Ｊ〜Ｌ」の文字信号を生成する１入力キー１３１Ｅ、「６」、「ハ行」又は「Ｍ〜Ｏ」の文字信号を生成する６入力キー１３１Ｆ、「７」、「マ行」又は「Ｐ〜Ｓ」の文字信号を生成する７入力キー１３１Ｇ、「８」、「ヤ行」又は「Ｔ〜Ｖ」の文字信号を生成する８入力キー１３１Ｈ、「９」、「ラ行」又は「Ｗ〜Ｚ」の文字信号を生成する９入力キー１３１Ｉ、「＊」又は「特殊記号」の文字信号を生成する＊入力キー１３１Ｊ、「０」又は「ワ行」の文字信号を生成する０入力キー１３１Ｋ及び「＃」又は「特殊記号」の文字信号を生成する＃入力キー１３１Ｌである。
【００２８】
連続入力キー１３２は、使用頻度の高い１入力キー１３１Ａと入力キー１３１Ａ〜Ｌの中央付近に設けられた５入力キー１３１Ｅの間に設けられている。なお、連続入力キー１３２は、図２に示される小型情報処理装置１００の前面であればどこに設けられても良い。
【００２９】
連続入力キー１３２は、カーソルを移動させるカーソル信号を生成し、記憶部１２０のラストキーメモリ１２２に記憶されたラストキー情報によって示される入力キーと同じ文字信号を生成する。
【００３０】
十字キー１３３は、カーソルを移動させるカーソルキー及び文字を変換する変換キーを備えている。十字キー１３３は、カーソルキーが押下された場合にはカーソル信号を生成し、変換キーが押下された場合には文字信号によって示される文字を変換する変換信号を生成する。
【００３１】
なお、連続入力キー１３２に代えて、連続入力キー１３２と同様にカーソル信号及びラストキー情報に対応する文字信号を生成する機能が入力キー１３１Ｇ若しくは１３１Ｌ又は十字キー１３３に割り当てられても良い。
【００３２】
表示部１４０は、制御部１１０によって転送された文字信号に従って文字を表示し、カーソル信号に従ってカーソルの位置を表示し、変換信号に従って変換された文字を表示する。
【００３３】
図３は、本発明の実施例１に係る文字入力処理の処理手順を示すフローチャートである。
【００３４】
はじめに、制御部１１０は、入力部１３０の入力キー１３１Ａ〜Ｌの何れかが押下されるまで待機する（Ｓ３０１−ＮＯ）。
【００３５】
制御部１１０は、入力部１３０の入力キー１３１Ａ〜Ｌの何れかが押下された場合には（Ｓ３０１−ＹＥＳ）、記憶部１２０のラストキーメモリ１２２に押下された入力キーを示すラストキー情報を書き込む（Ｓ３０２）。
【００３６】
続いて、押下された入力キーは、押下された回数に従って文字信号を生成する（Ｓ３０３）。このとき、制御部１１０は、生成された文字信号を表示部１４０に転送し、表示部１４０は、転送された文字信号に従って文字を表示する。
【００３７】
連続入力キー１３２が押下された場合には（Ｓ３０４−ＹＥＳ）、連続入力キー１３２は、カーソルを移動させるカーソル信号を生成する（Ｓ３０５）。このとき、制御部１１０は、生成されたカーソル信号を表示部１４０に転送し、表示部１４０は、転送されたカーソル信号に従ってカーソル位置を移動させて表示する。
【００３８】
続いて、連続入力キー１３２は、ラストキー情報に従って、文字信号を生成し（Ｓ３０６）、Ｓ３０４へ戻る。このとき、制御部１１０は、生成された文字信号を表示部１４０に転送し、表示部１４０は、転送された文字信号に従って文字を表示する。
【００３９】
なお、Ｓ３０４において、連続入力キー１３２に続いてラストキー情報に対応する入力キー１３１Ａ〜Ｌが押下された場合には、押下された入力キーは、ラストキー情報及び押下された回数に従って文字信号を生成する。
【００４０】
一方、十字キー１３３のカーソル移動キーが押下された場合には（Ｓ３０４−ＮＯ、Ｓ３０７−ＹＥＳ）、十字キー１３３のカーソル移動キーは、カーソルを移動させるカーソル信号を生成し（Ｓ３０８）、Ｓ３０１へ戻る。このとき、制御部１１０は、生成されたカーソル信号を表示部１４０に転送し、表示部１４０は、転送されたカーソル信号に従ってカーソル位置を移動させて表示する。
【００４１】
一方、十字キー１３３の変換キーが押下された場合には（Ｓ３０４−ＮＯ、Ｓ３０７−ＮＯ、Ｓ３０９−ＹＥＳ）、十字キー１３３の変換キーは、文字を変換する変換信号を生成する（Ｓ３１０）。このとき、制御部１１０は、生成された変換信号を表示部１４０に転送し、表示部１４０は、転送された変換信号に従って変換された文字を表示する。
【００４２】
続いて、制御部１１０は、記憶部１２０のラストキーメモリ１２２からラストキー情報を消去する（Ｓ３１１）。
【００４３】
本発明の実施例１に係る文字入力処理は、Ｓ３１１が完了した後に終了する。
【００４４】
次に、本発明の実施例１の具体例について説明する。本発明の実施例１の具体例は、「青い海（アオイウミ）」を入力する場合の例である。
【００４５】
はじめに、１入力キー１３１Ａが１回押下された場合には（Ｓ３０１−ＹＥＳ）、制御部１１０は、記憶部１２０のラストキーメモリ１２２に１入力キー１３１Ａのラストキー情報を書き込む（Ｓ３０２）。
【００４６】
続いて、１入力キー１３１Ａは、押下された回数（１回）に従って「ア」の文字信号を生成する（Ｓ３０３）。このとき、制御部１１０は、生成された「ア」の文字信号を表示部１４０に転送し、表示部１４０は、転送された「ア」の文字信号に従って「ア」を表示する。この時点で、表示部１４０には、「ア」が表示されている。
【００４７】
続いて、連続入力キー１３２が押下された場合には（Ｓ３０４−ＹＥＳ）、連続入力キー１３２は、カーソルを移動させるカーソル信号を生成する（Ｓ３０５）。このとき、制御部１１０は、生成されたカーソル信号を表示部１４０に転送し、表示部１４０は、転送されたカーソル信号に従ってカーソル位置を「ア」の次の位置に移動させて表示する。
【００４８】
続いて、連続入力キー１３２は、１入力キー１３１Ａのラストキー情報に従って、「ア」の文字信号を生成し（Ｓ３０６）、Ｓ３０４へ戻る。このとき、制御部１１０は、生成された「ア」の文字信号を表示部１４０に転送し、表示部１４０は、転送された文字信号に従って文字を表示する。この時点で、表示部１４０には、「アア」が表示されている。
【００４９】
続いて、１入力キー１３１Ａが４回押下された場合には（Ｓ３０１−ＹＥＳ）、制御部１１０は、記憶部１２０のラストキーメモリ１２２に１入力キー１３１Ａのラストキー情報を書き込む（Ｓ３０２）。
【００５０】
続いて、１入力キー１３１Ａは、押下された回数（４回）に従って、「オ」の文字信号を生成する（Ｓ３０３）。このとき、制御部１１０は、生成された「オ」の文字信号を表示部１４０に転送し、表示部１４０は、転送された「オ」の文字信号に従って「オ」を表示する。この時点で表示部１４０には、「アオ」が表示されている。
【００５１】
続いて、連続入力キー１３２が押下された場合には（Ｓ３０４−ＹＥＳ）、連続入力キー１３２は、カーソルを移動させるカーソル信号を生成する（Ｓ３０５）。このとき、制御部１１０は、生成されたカーソル信号を表示部１４０に転送し、表示部１４０は、転送されたカーソル信号に従ってカーソル位置を「オ」の次の位置に移動させて表示する。
【００５２】
続いて、連続入力キー１３２は、１入力キー１３１Ａのラストキー情報に従って、「ア」の文字信号を生成し（Ｓ３０６）、Ｓ３０４へ戻る。このとき、制御部１１０は、生成された「ア」の文字信号を表示部１４０に転送し、表示部１４０は、転送された文字信号に従って文字を表示する。この時点で、表示部１４０には、「アオア」が表示されている。
【００５３】
続いて、１入力キー１３１Ａが１回押下された場合には（Ｓ３０１−ＹＥＳ）、制御部１１０は、記憶部１２０のラストキーメモリ１２２に１入力キー１３１Ａのラストキー情報を書き込む（Ｓ３０２）。
【００５４】
続いて、１入力キー１３１Ａは、押下された回数（１回）に従って、「イ」の文字信号を生成する（Ｓ３０３）。このとき、制御部１１０は、生成された「イ」の文字信号を表示部１４０に転送し、表示部１４０は、転送された「イ」の文字信号に従って「イ」を表示する。この時点で、表示部１４０には、「アオイ」が表示されている。
【００５５】
続いて、連続入力キー１３２が押下された場合には（Ｓ３０４−ＹＥＳ）、連続入力キー１３２は、カーソルを移動させるカーソル信号を生成する（Ｓ３０５）。このとき、制御部１１０は、生成されたカーソル信号を表示部１４０に転送し、表示部１４０は、転送されたカーソル信号に従ってカーソル位置を「イ」の次の位置に移動させて表示する。
【００５６】
続いて、連続入力キー１３２は、１入力キー１３１Ａのラストキー情報に従って、「ア」の文字信号を生成し（Ｓ３０６）、Ｓ３０４へ戻る。このとき、制御部１１０は、生成された「ア」の文字信号を表示部１４０に転送し、表示部１４０は、転送された文字信号に従って文字を表示する。この時点で、表示部１４０には、「アオイア」が表示されている。
【００５７】
続いて、１入力キー１３１Ａが２回押下された場合には（Ｓ３０１−ＹＥＳ）、制御部１１０は、記憶部１２０のラストキーメモリ１２２に１入力キー１３１Ａのラストキー情報を書き込む（Ｓ３０２）。
【００５８】
続いて、１入力キー１３１Ａは、押下された回数（２回）に従って、「ウ」の文字信号を生成する（Ｓ３０３）。このとき、制御部１１０は、生成された「ウ」の文字信号を表示部１４０に転送し、表示部１４０は、転送された「ウ」の文字信号に従って「ウ」を表示する。この時点で、表示部１４０には、「アオイウ」が表示されている。
【００５９】
７入力キー１３１Ｇが２回押下された場合には（Ｓ３０１−ＹＥＳ）、制御部１１０は、記憶部１２０のラストキーメモリ１２２に７入力キー１３１Ｇのラストキー情報を書き込む（Ｓ３０２）。
【００６０】
続いて、７入力キー１３１Ａは、押下された回数（２回）に従って「ミ」の文字信号を生成する（Ｓ３０３）。このとき、制御部１１０は、生成された「ミ」の文字信号を表示部１４０に転送し、表示部１４０は、転送された「ミ」の文字信号に従って「ミ」を表示する。この時点で、表示部１４０には、「アオイウミ」が表示されている。
【００６１】
続いて、十字キー１３３の変換キーが押下された場合には（Ｓ３０４−ＮＯ、Ｓ３０７−ＮＯ、Ｓ３０９−ＹＥＳ）、十字キー１３３の変換キーは、「アオイウミ」を変換する変換信号を生成する（Ｓ３１０）。このとき、制御部１１０は、生成された変換信号を表示部１４０に転送し、表示部１４０は、転送された変換信号に従って変換された文字を表示する。この時点で、表示部１４０には、「青い海」が表示されている。
【００６２】
続いて、制御部１１０は、記憶部１２０のラストキーメモリ１２２から７入力キー１３１Ｇのラストキー情報を消去する（Ｓ３１１）。
【００６３】
本発明の実施例１の具体例では、「ア」が入力されるときに１入力キー１３１Ａが１回押下される。続いて、「オ」が入力されるときに連続入力キーが１回、１入力キー１３１Ａが４回押下さる。続いて、「イ」が入力されるときに連続入力キーが１回、１入力キー１３１Ａが１回押下される。続いて、「ウ」が入力されるときに連続入力キーが１回、１入力キー１３１Ａが２回押下される。続いて、「ミ」が入力されるときに７入力キー１３１Ｇが２回押下される。続いて、「アオイウミ」が変換されるときに十字キー１３３の変換キーが１回押下される。すなわち、キーが押下される回数は、合計１４回である。
【００６４】
これに対して、従来の小型情報処理装置では、連続入力キーに代えてカーソルキーを１回押下され、入力キーが１回余計に押下される。すなわち、キーが押下される回数は、１７回である。
【００６５】
本発明の実施例１によれば、連続入力キー１３２がカーソル信号及びラストキー情報に対応する文字信号を生成するので、同じキーに割り当てられた文字を連続して入力する場合の小型情報処理装置１００の操作性を向上させることができる。
【００６６】
また、本発明の実施例１によれば、連続入力キー１３２が使用頻度の高い１入力キー１３１Ａと入力キー１３１Ａ〜Ｌの中央付近に設けられた５入力キー１３１Ｅの間に設けられているので、同じキーに割り当てられた文字を連続して入力する場合の小型情報処理装置１００の操作性を向上させることができる。
【００６７】
また、本発明の実施例１によれば、連続入力キー１３２が小型情報処理装置１００の前面に設けられているので、連続入力キー１３２の視認性を向上させることができ、ひいては、同じキーに割り当てられた文字を連続して入力する場合の操作ミスを低減することができる。
【００６８】
なお、本発明の実施例１によれば、連続入力キー１３２と同様にカーソル信号及びラストキー情報に対応する文字信号を生成する機能が入力キー１３１Ｇ若しくは１３１Ｌ又は十字キー１３３に割り当てられる場合には、小型情報処理装置１００を小型化することができる。
【実施例２】
【００６９】
次に、本発明の実施例２について説明する。本発明の実施例１は、１つの連続入力キーが設けられる例であるが、本発明の実施例２は、複数の連続入力キーが設けられる例である。なお、本発明の実施例１と同様の内容についての説明は省略する。
【００７０】
図４は、本発明の実施例２に係る小型情報処理装置２００の前面の概略を示す概略図である。
【００７１】
本発明の実施例２の小型情報処理装置２００は、向かって上側に表示部２４０が設けられ、向かって下側に入力部２３０が設けられている。
【００７２】
入力部２３０は、入力キー２３１Ａ〜Ｌ、連続入力キー２３２Ａ〜Ｌ及び十字キー２３３から構成される。
【００７３】
入力キー２３１Ａ〜Ｌは、それぞれ、「１」又は「ア行」の文字信号を生成する１入力キー２３１Ａ、「２」、「カ行」又は「Ａ〜Ｃ」の文字信号を生成する２入力キー２３１Ｂ、「３」、「サ行」又は「Ｄ〜Ｆ」の文字信号を生成する３入力キー２３１Ｃ、「４」、「タ行」又は「Ｇ〜Ｉ」の文字信号を生成する４入力キー２３１Ｄ、「５」、「ナ行」又は「Ｊ〜Ｌ」の文字信号を生成する１入力キー２３１Ｅ、「６」、「ハ行」又は「Ｍ〜Ｏ」の文字信号を生成する６入力キー２３１Ｆ、「７」、「マ行」又は「Ｐ〜Ｓ」の文字信号を生成する７入力キー２３１Ｇ、「８」、「ヤ行」又は「Ｔ〜Ｖ」の文字信号を生成する８入力キー２３１Ｈ、「９」、「ラ行」又は「Ｗ〜Ｚ」の文字信号を生成する９入力キー２３１Ｉ、「＊」又は「特殊記号」の文字信号を生成する＊入力キー２３１Ｊ、「０」又は「ワ行」の文字信号を生成する０入力キー２３１Ｋ及び「＃」又は「特殊記号」の文字信号を生成する＃入力キー２３１Ｌである。
【００７４】
連続入力キー２３２Ａ〜Ｉ、Ｋは、それぞれ、入力キー２３１Ａ〜Ｉ、Ｋに対して向かって右側（入力キー２３１Ａ〜Ｉ、Ｋに対して表示部２４０のカーソルの移動方向側）に設けられている。なお、連続入力キー２３２Ａ〜Ｉ、Ｋは、入力キー２３１Ａ〜Ｉ、Ｋの一端であればどこに設けられても良い。
【００７５】
連続入力キー２３２Ａ〜Ｉ、Ｋは、カーソルを移動させるカーソル信号を生成し、対応する入力キー２３１Ａ〜Ｉ、Ｋと同じ文字信号を生成する。
【００７６】
十字キー２３３は、カーソルを移動させるカーソルキー及び文字を変換する変換キーを備えている。十字キー２３３は、カーソルキーが押下された場合にはカーソル信号を生成し、変換キーが押下された場合には文字信号によって示される文字を変換する変換信号を生成する。
【００７７】
なお、連続入力キー２３２Ａ〜Ｉ、Ｋに代えて、連続入力キー２３２と同様にカーソル信号及びラストキー情報に対応する文字信号を生成する機能が入力キー１３１Ａ〜Ｉ、Ｋに割り当てられても良い。
【００７８】
表示部２４０は、図示されない制御部によって転送された文字信号に従って文字を表示し、カーソル信号に従ってカーソルの位置を表示し、変換信号に従って変換された文字を表示する。
【００７９】
本発明の実施例２によれば、本発明の実施例１と同様の効果に加えて、連続入力キー２３２Ａ〜Ｉ、Ｋを押下するときのユーザの指の移動量を小さくすることができ、ひいては、小型情報処理装置２００の操作性をさらに向上させることができる。
【００８０】
さらに、本発明の実施例２によれば、連続入力キー２３２Ａ〜Ｉ、Ｋを入力キー２３１Ａ〜Ｉ、Ｋに対して表示部２４０のカーソルの移動方向側に設けられているので、ユーザに押し易いという感覚を与えることができる。
【実施例３】
【００８１】
次に、本発明の実施例３について説明する。本発明の実施例１及び２は、小型情報処理装置の前面に１又は複数の連続入力キーが設けられる例であるが、本発明の実施例３は、表示部にソフトキーとして連続入力キーが表示される例である。なお、本発明の実施例１及び２と同様の内容についての説明は省略する。
【００８２】
図５は、本発明の実施例３に係る小型情報処理装置の表示部３４０の概略を示す概略図である。
【００８３】
本発明の実施例３の小型情報処理装置の表示部３４０は、キー表示部３４０Ａ及び文字表示部３４０Ｂを表示する。
【００８４】
キー表示部３４０Ａは、入力キー３４１Ａ〜Ｌ、連続入力キー３４２及び十字キー３４３が表示する。キー表示部３４０Ａは、押下された座標を認識するタッチパネルである。
【００８５】
入力キー３４１Ａ〜Ｌ、連続入力キー３４２及び十字キー３４３は、いわゆるソフトキーである。入力キー３４１Ａ〜Ｌ、連続入力キー３４２及び十字キー３４３は、キー表示部３４０Ａが押下されたときに所定の信号を生成する。
【００８６】
入力キー３４１Ａ〜Ｌは、それぞれ、「１」又は「ア行」の文字信号を生成する１入力キー３４１Ａ、「２」、「カ行」又は「Ａ〜Ｃ」の文字信号を生成する２入力キー３４１Ｂ、「３」、「サ行」又は「Ｄ〜Ｆ」の文字信号を生成する３入力キー３４１Ｃ、「４」、「タ行」又は「Ｇ〜Ｉ」の文字信号を生成する４入力キー３４１Ｄ、「５」、「ナ行」又は「Ｊ〜Ｌ」の文字信号を生成する１入力キー３４１Ｅ、「６」、「ハ行」又は「Ｍ〜Ｏ」の文字信号を生成する６入力キー３４１Ｆ、「７」、「マ行」又は「Ｐ〜Ｓ」の文字信号を生成する７入力キー３４１Ｇ、「８」、「ヤ行」又は「Ｔ〜Ｖ」の文字信号を生成する８入力キー３４１Ｈ、「９」、「ラ行」又は「Ｗ〜Ｚ」の文字信号を生成する９入力キー３４１Ｉ、「＊」又は「特殊記号」の文字信号を生成する＊入力キー３４１Ｊ、「０」又は「ワ行」の文字信号を生成する０入力キー３４１Ｋ及び「＃」又は「特殊記号」の文字信号を生成する＃入力キー３４１Ｌである。
【００８７】
連続入力キー３４２は、使用頻度の高い１入力キー３４１Ａと入力キー３４１Ａ〜Ｌの中央付近に設けられた５入力キー３４１Ｅの間に表示されている。なお、連続入力キー３４２は、表示部３４０のどこに表示されても良い。
【００８８】
連続入力キー３４２は、カーソルを移動させるカーソル信号を生成し、図示されない記憶部のラストキーメモリに記憶されたラストキー情報によって示される入力キーと同じ文字信号を生成する。
【００８９】
十字キー３４３は、カーソルを移動させるカーソルキー及び文字を変換する変換キーを備えている。十字キー３４３は、カーソルキーが押下された場合にはカーソル信号を生成し、変換キーが押下された場合には文字信号によって示される文字を変換する変換信号を生成する。
【００９０】
なお、連続入力キー３４２に代えて、連続入力キー３４２と同様にカーソル信号及びラストキー情報に対応する文字信号を生成する機能が入力キー３４１Ｇ若しくは３４１Ｌ又は十字キー３４３に割り当てられても良い。
【００９１】
表示部３４０は、図示されない制御部によって転送された文字信号に従って文字表示部３４０Ｂに文字を表示し、カーソル信号に従ってカーソルの位置を表示し、変換信号に従って変換された文字を表示する。
【００９２】
本発明の実施例３によれば、本発明の実施例１と同様の効果に加えて、表示部３４０のキー表示部３４０Ａに連続入力キー３４２を含むソフトキーを表示するので、小型情報処理装置を小型化することができる。
【図面の簡単な説明】
【００９３】
【図１】本発明の実施例１に係る小型情報処理装置１００の構成を示すブロック図である。
【図２】本発明の実施例１に係る小型情報処理装置１００の前面の概略を示す概略図である。
【図３】本発明の実施例１に係る文字入力処理の処理手順を示すフローチャートである。
【図４】本発明の実施例２に係る小型情報処理装置２００の前面の概略を示す概略図である。
【図５】本発明の実施例３に係る小型情報処理装置の表示部３４０の概略を示す概略図である。
【符号の説明】
【００９４】
１００、２００  小型情報処理装置
１１０  制御部
１２０  記憶部
１２１  プログラムメモリ
１２２  ラストキーメモリ
１３０、２３０  入力部
１３１Ａ〜Ｌ、２３１Ａ〜Ｌ、３４１Ａ〜Ｌ  入力キー
１３２、２３２Ａ〜Ｉ、Ｋ、３４２  連続入力キー
１３３  ２３３、３４３  十字キー
１４０、２４０、３４０  表示部
３４０Ａ  キー表示部
３４０Ｂ  文字表示部
【図１】
2009009383.tif 000003
【図２】
2009009383.tif 000004
【図３】
2009009383.tif 000005
【図４】
2009009383.tif 000006
【図５】
2009009383.tif 000007